(57)【要約】【課題】転写ローラ及び除電により記録材を分離する分離手段及び転写ローラを用いた画像形成装置において、除電によって、転写ローラをクリーニングするクリーニングバイアスが所定の値から外れて、裏面汚れを起こすという問題を解決する。【解決手段】記録材を中間転写体から分離するための分離手段に記録材先端通過時のみに分離に必要な電流を供給し、像間においては、除電電流の直流成分を０又は小さな値に抑える。【選択図】図２
2010134019.tif 000002
【特許請求の範囲】
【請求項１】
トナー像を担持する中間転写体、
該中間転写体上のトナー像を記録材に転写する転写ローラ及び、
前記中間転写体と前記転写ローラ間に転写バイアス又はクリーニングバイアスを印加する第１電源を有し、
前記中間転写体と前記転写ローラ間のニップを記録材が通過する期間に、トナー像を前記中間転写体から記録材に移動させる前記転写バイアスを、
前記中間転写体と前記転写ローラ間のニップを記録材が通過しない期間に、トナーを前記中間転写体に引き寄せる前記クリーニングバイアスを、前記第１電源がそれぞれ印加する画像形成装置において、
記録材を除電し、前記中間転写体から分離する分離手段、
該分離手段に電流を供給する第２電源及び、
制御手段を有し、
該制御手段は、少なくとも記録材の先端が前記ニップを通過する期間において、前記第２電源が、第１直流電流に交流が重畳された除電電流を前記分離手段に供給し、
像間においては、前記第１直流電流よりも小さい第２直流電流に交流が重畳された電流又は直流を含まず交流からなる電流を前記分離手段に供給するように、前記第２電源を制御することを特徴とする画像形成装置。
【請求項２】
前記制御手段は、前記第２電源が前記第１直流電流よりも大きい第３直流電流を出力した後に前記第２直流電流を出力するように、前記第２電源を制御することを特徴とする請求項１に記載の画像形成装置。
【請求項３】
前記中間転写体を前記転写ローラに押圧し、前記第１電源からの電流が印加されるバックアップローラを有し、前記第１電源は、前記バックアップローラに接続されていることを特徴とする請求項１又は請求項２に記載の画像形成装置。
【請求項４】
前記分離手段は、コロナ帯電装置からなることを特徴とする請求項１〜３のいずれか１項に記載の画像形成装置。
【発明の詳細な説明】
【技術分野】
【０００１】
本発明は電子写真方式により画像を形成する画像形成装置に関する。
【背景技術】
【０００２】
中間転写体を用い、感光体上にトナー像を形成した後に、中間転写体に転写し、中間転写体から紙等の記録材にトナー像を転写して記録材上に画像を形成する電子写真プロセスが広く用いられている。
【０００３】
トナー像の転写には、コロナ帯電装置や転写ローラが広く用いられている。転写ローラによる転写では、中間転写体等の像担持体と転写ローラとで記録材をニップし搬送する過程で、中間転写体と転写ローラ間に、転写バイアスが印加され、トナーを静電的に中間転写体から記録材に移動させることにより、トナー像が中間転写体から記録材に転写される。
【０００４】
転写ローラによる転写では、中間転写体と記録材とが密着した状態で転写が行われるために、転写時にトナー像のずれが無く、転写に起因する画質低下が少ないという利点がある。しかしながら、転写ローラにトナーが付着し、付着したトナーが後続の画像形成において、記録材の裏面に付着し、裏面汚れを起こすという問題がある。
【０００５】
像間、即ち、画像と画像との間に画質制御用のパッチを形成する場合、像間にトナー消費用のトナー帯を形成する場合、ジャム時等においては、大量のトナーが中間転写体から転写ローラに移動し付着するために、顕著な裏面汚れが発生する。したがって、転写ローラからトナーを除去するか又は転写ローラにトナーが付着しないようにする技術が開発されている。
【０００６】
特許文献１のように、転写ローラにクリーニングバイアスを印加する方法は、コストの点、画像形成の生産性を低下させない点などの観点で優れている。
【０００７】
一方、中間転写体に静電吸着している記録材を分離するために、転写ローラの下流に除電装置を設けることが提案されている（特許文献２）
【特許文献１】特開平８−３２８４０１号公報
【特許文献２】特開２００８−１４５８２７号公報
【発明の開示】
【発明が解決しようとする課題】
【０００８】
特許文献２のように、記録材の分離を確実にするためには、直流（ＤＣ）に交流（ＡＣ）が重畳された除電電流を除電装置に供給し、記録材を除電することが行われる。
【０００９】
このような除電装置を用いた場合、特許文献１のようなバイアスクリーニングを行うときに、クリーニングバイアスが適切に印加されない場合が生ずるという問題がある。
【００１０】
即ち、ａ．電流不足により、帯電トナー（現像時の極性に帯電したトナー）が転写ローラに付着する、
ｂ．過剰電流により、逆帯電トナー（現像時の極性と反対に帯電したトナー）が転写ローラに付着する、
などのトナー付着が発生して裏面汚れを起こすことが判明した。
【００１１】
本発明は、ローラ転写により転写を行い、且つ、直流（ＤＣ）に交流（ＡＣ）が重畳された除電電流により記録材を除電し分離する画像形成装置における前記の問題を解決し、良好な転写を行い、且つ、裏面汚れを防止し、しかも、記録材の分離性がよい画像形成装置を提供することを目的とする。
【課題を解決するための手段】
【００１２】
前記目的は下記の発明により達成される。
【００１３】
１．トナー像を担持する中間転写体、
該中間転写体上のトナー像を記録材に転写する転写ローラ及び、
前記中間転写体と前記転写ローラ間に転写バイアス又はクリーニングバイアスを印加する第１電源を有し、
前記中間転写体と前記転写ローラ間のニップを記録材が通過する期間に、トナー像を前記中間転写体から記録材に移動させる前記転写バイアスを、
前記中間転写体と前記転写ローラ間のニップを記録材が通過しない期間に、トナーを前記中間転写体に引き寄せる前記クリーニングバイアスを、前記第１電源がそれぞれ印加する画像形成装置において、
記録材を除電し、前記中間転写体から分離する分離手段、
該分離手段に電流を供給する第２電源及び、
制御手段を有し、
該制御手段は、少なくとも記録材の先端が前記ニップを通過する期間において、前記第２電源が、第１直流電流に交流が重畳された除電電流を前記分離手段に供給し、
像間においては、前記第１直流電流よりも小さい第２直流電流に交流が重畳された電流又は直流を含まず交流からなる電流を前記分離手段に供給するように、前記第２電源を制御することを特徴とする画像形成装置。
【００１４】
２．前記制御手段は、前記第２電源が前記第１直流電流よりも大きい第３直流電流を出力した後に前記第２直流電流を出力するように、前記第２電源を制御することを特徴とする前記１に記載の画像形成装置。
【００１５】
３．前記中間転写体を前記転写ローラに押圧し、前記第１電源からの電流が印加されるバックアップローラを有し、前記第１電源は、前記バックアップローラに接続されていることを特徴とする前記１又は前記２に記載の画像形成装置。
【００１６】
４．前記分離手段は、コロナ帯電装置からなることを特徴とする前記１〜３のいずれか１項に記載の画像形成装置。
【発明の効果】
【００１７】
本発明においては、記録材の先端通過時には、記録材を除電するのに十分な直流成分を構成する第１直流電流を有する除電電流が分離手段に供給されるが、像間においては、前記除電電流の第１直流成分よりも小さい第２直流成分に交流が重畳された電流又は直流成分を含まず交流成分からなる電流が除電手段に供給される。
【００１８】
したがって、記録材の分離が良好であるとともに、転写ローラへのトナー付着が十分に防止される。
【００１９】
画質制御のためのパッチ画像、トナー消費用のトナー帯等が形成される場合や、ジャムが発生した場合でも、転写ローラへのトナー付着が十分に防止される。
【００２０】
よって、裏面汚れが防止され、記録材の分離が良好な画像形成装置が実現される。
【発明を実施するための最良の形態】
【００２１】
以下に、本発明を本発明の実施の形態に係る画像形成装置に基づいて説明するが、本発明は該実施の形態に限られない。
〔カラー画像形成装置〕
図１は、本発明の実施の形態に係るカラー画像形成装置の全体構成を示す図である。
【００２２】
図示のカラー画像形成装置は、タンデム型カラー画像形成装置と称せられるもので、複数の画像形成ユニット１０Ｙ、１０Ｍ、１０Ｃ、１０Ｋと、転写部としての中間転写体ユニット７と、記録材Ｐを搬送する無端ベルト状の給紙搬送手段２１と、定着装置２４とを有する。カラー画像形成装置の本体Ａの上部には、原稿画像読み取り装置ＳＣが配置されている。
【００２３】
イエロー色の画像を形成する画像形成ユニット１０Ｙは、ドラム状の感光体１Ｙ、帯電手段２Ｙ、露光手段３Ｙ、現像手段４Ｙ、一次転写手段としての一次転写ローラ５Ｙ及びクリーニング手段６Ｙを有する。図示のように、感光体１Ｙの周囲に、帯電手段２Ｙ、露光手段３Ｙ、現像手段４Ｙ、一次転写手段としての一次転写ローラ５Ｙ及びクリーニング手段６Ｙが配置される。
【００２４】
マゼンタ色の画像を形成する画像形成ユニット１０Ｍは、ドラム状の感光体１Ｍ、帯電手段２Ｍ、露光手段３Ｍ、現像手段４Ｍ、一次転写手段としての一次転写ローラ５Ｍ及びクリーニング手段６Ｍを有する。図示のように、感光体１Ｍの周囲に、帯電手段２Ｍ、露光手段３Ｍ、現像手段４Ｍ、一次転写手段としての一次転写ローラ５Ｍ及びクリーニング手段６Ｍが配置される。
【００２５】
シアン色の画像を形成する画像形成ユニット１０Ｃは、ドラム状の感光体１Ｃ、帯電手段２Ｃ、露光手段３Ｃ、現像手段４Ｃ、一次転写手段としての一次転写ローラ５Ｃ及びクリーニング手段６Ｃを有する。図示のように、感光体１Ｃの周囲に、帯電手段２Ｃ、露光手段３Ｃ、現像手段４Ｃ、一次転写手段としての一次転写ローラ５Ｃ及びクリーニング手段６Ｃが配置される。
【００２６】
黒色の画像を形成する画像形成ユニット１０Ｋは、ドラム状の感光体１Ｋ、帯電手段２Ｋ、露光手段３Ｋ、現像手段４Ｋ、一次転写手段としての一次転写ローラ５Ｋ及びクリーニング手段６Ｋを有する。図示のように、感光体１Ｋの周囲に、帯電手段２Ｋ、露光手段３Ｋ、現像手段４Ｋ、一次転写手段としての一次転写ローラ５Ｋ及びクリーニング手段６Ｋが配置される。
【００２７】
中間転写体ユニット７は、複数のローラにより巻回され、回動可能に支持された半導電性エンドレスベルト状の中間転写体７０を有する。
【００２８】
画像形成ユニット１０Ｙ、１０Ｍ、１０Ｃ、１０Ｋにより形成された各色のトナー像は、一次転写ローラ５Ｙ、５Ｍ、５Ｃ、５Ｋにより、回動する中間転写体７０上に逐次転写されて、合成されたカラートナー像が形成される。給紙カセット２０内に収容された用紙等の記録材Ｐは、給紙搬送手段２１により給紙され、複数の中間ローラ２２Ａ、２２Ｂ、２２Ｃ、２２Ｄ、レジストローラ２３を経て、二次転写手段としての転写ローラ３０に搬送され、記録材Ｐ上にカラートナー像が一括転写される。カラートナー像が転写された記録材Ｐは、定着装置２４により定着処理され、排紙ローラ２５に挟持されて機外の排紙トレイ２６上に載置される。
【００２９】
一方、転写ローラ３０により記録材Ｐにカラートナー像が転写された後の中間転写体７０は、クリーニング手段６Ａによりクリーニングされる。
【００３０】
画像形成処理中、一次転写ローラ５Ｋは常時、感光体１Ｋに圧接している。他の一次転写ローラ５Ｙ、５Ｍ、５Ｃはカラー画像形成時にのみ、それぞれ対応する感光体１Ｙ、１Ｍ、１Ｃに圧接する。
【００３１】
また、装置本体Ａから筐体８を支持レール８２Ｌ、８２Ｒを介して引き出し可能にしてある。
【００３２】
筐体８は、画像形成ユニット１０Ｙ、１０Ｍ、１０Ｃ、１０Ｋと、中間転写体ユニット７とを有する。
【００３３】
画像形成ユニット１０Ｙ、１０Ｍ、１０Ｃ、１０Ｋは、垂直方向に縦列配置されている。感光体１Ｙ、１Ｍ、１Ｃ、１Ｋの図示左側方には中間転写体ユニット７が配置されている。中間転写体ユニット７は、ローラ７１、７２、７３、７４、７６を巻回して回動可能な無端ベルト状の中間転写体７０、一次転写ローラ５Ｙ、５Ｍ、５Ｃ、５Ｋ及びクリーニング手段６Ａ等で構成される。
【００３４】
筐体８の引き出し操作により、画像形成ユニット１０Ｙ、１０Ｍ、１０Ｃ、１０Ｋと、中間転写体ユニット７とは、一体となって、本体Ａから引き出される。
【００３５】
感光体１Ｙ、１Ｍ、１Ｃ、１Ｋ上に帯電、露光、現像によりトナー像が形成され、中間転写体７０上で各色のトナー像が重ね合わされてカラートナー像が形成される。カラートナー像は転写ローラ３０により一括して記録材Ｐに転写され、記録材Ｐ上のカラートナー像は定着装置２４により加圧・加熱されて定着される。
【００３６】
上記カラー画像形成装置では、中間転写体０７をクリーニングするクリーニング手段６Ａのクリーニング部材として、弾性ブレードが用いられる。
〔転写分離部〕
図２は、中間転写体７０から記録材Ｐにカラートナー像を転写し、転写後の記録材Ｐを中間転写体７０から分離する転写分離部の模式図である。
【００３７】
３０は転写ローラであり、金属製の軸上に半導電性のゴム層が形成されたローラである。
【００３８】
中間転写体７０は、導電性処理により半導電性を付与されたＰＩ（ポリイミド）等の樹脂からなる。
【００３９】
７４は中間転写体７０を支持するバックアップローラであり、金属製の軸上に半導電性のゴム層が形成されたローラである。
【００４０】
バックアップローラ７４を中間転写体７０の背面側から押圧することによって、転写ローラ３０と中間転写体７０とはニップＮが形成され、ニップＮがトナー像を中間転写体７０から記録材Ｐに転写させる転写領域を形成する。
【００４１】
バックアップローラ７４の軸には、第１電源としての電源３１が接続され、電源４１によりバックアップローラ７４及び中間転写体７０にバイアスが印加される。負帯電トナーが用いられる本実施の形態においては、電源３１は、中間転写体７０に負の転写バイアスを印加して、カラートナー像を中間転写体７０から記録材Ｐに転写する。
【００４２】
電源３１は、また、連続画像形成における像間、即ち、画像と画像との間であって、中間転写体７０と転写ローラ３０との間に記録材Ｐが介在しない期間においては、トナーを中間転写体７０に引き寄せるクリーニングバイアスを中間転写体７０に印加する。負帯電トナーを用いる実施の形態では、前記クリーニングバイアスは正極性である。
【００４３】
３２は記録材Ｐを中間転写体７０から分離する分離手段としてのコロナ帯電装置であり、放電針３１Ａの先端から放電を行って、記録材Ｐを除電する。
【００４４】
なお、コロナ帯電装置３２としては、放電ワイヤを有するコロナ帯電装置や、鋸歯状の放電極を持ったコロナ帯電装置を用いることもできる。
【００４５】
３３はコロナ帯電装置３２に電流を供給する第２電源としての電源であり、直流（ＤＣ）に交流（ＡＣ）が重畳された除電電流をコロナ帯電装置３２に供給する。
【００４６】
コロナ帯電装置３２が記録材Ｐを除電することにより、静電的に吸着している記録材Ｐを中間転写体７０から分離する。
【００４７】
連続画像形成においては、カラートナー像の転写工程及転写後の記録材Ｐを中間転写体７０から分離する分離工程が、記録材ＰがニップＮを通過する毎に繰り返し実行される。      
【００４８】
この工程においては、先行する記録材Ｐと、後行する記録材Ｐとの間、即ち、像間においては、転写ローラ３０のクリーニングが繰り返し実行される。
【００４９】
しかるに、像間において行われる転写ローラ３０のクリーニングにおいて、所望のクリーニングバイアスが印加されない場合が生ずるという問題があることが判明した。
【００５０】
図３は記録材Ｐを除電する除電電流とクリーニングバイアスとの関係を示す図である。
【００５１】
図３において、横軸は除電電流の直流成分を示し、縦軸は電源３１の出力電圧を示す。
【００５２】
なお、電源３１は定電流電源で構成されている。
【００５３】
電源３１の出力電圧がプラス（＋）では、負帯電トナーを中間転写体７０に引きつけるクリーニングバイアスが中間転写体７０と転写ローラ３０との間に印加され、転写ローラ３０上のトナーは中間転写体７０に移動するとともに、中間転写体７０上のトナーはそのまま保持される。
【００５４】
電源３１の出力がマイナス（−）では、負帯電トナーを転写ローラ３０に移動させる転写バイアスが印加され、トナーは中間転写体７０から転写ローラ３０側に移動する。
【００５５】
中間転写体７０と転写ローラ３０間のニップＮに記録材Ｐが介在する場合は、トナー像は転写バイアスによって、中間転写体７０から記録材Ｐに転写される。
【００５６】
図示の直線ＳＬのように、除電電流の直流成分である除電直流電流が増すと電源３１の出力はマイナス側に大きくなって中間転写体７０には強い転写バイアスが印加される。
【００５７】
したがって、除電電流が大きい場合、像間において、所定のクリーニングバイアスが印加されなくなる。
【００５８】
結果として、転写ローラ３０のクリーニングが不十分となり、裏面汚れが発生する。
【００５９】
本発明においては、このような裏面汚れの問題を解決するために、像間において、除電電流の直流成分である除電直流電流を低く抑えている。
【００６０】
図３に示すように、除電直流電流の電流値を下げることにより、電源３１の出力電圧が負側から正側に変化する。図示の例では、除電直流電流が２０μＡ以下では、電源３１の出力は正となる。
【００６１】
即ち、除電直流電流が２０μＡ以下では、中間転写体７０と転写ローラ３０間にクリーニング電圧が印加される。
【００６２】
これによって、転写ローラ３０上のトナーは中間転写体７０上に移動するとともに、中間転写体上のトナーはそのまま保持される。
【００６３】
記録材ＰがニップＮを通過し、記録材Ｐの分離が必要な期間においては、分離に必要な除電直流電流をコロナ放電装置３２に供給し、像間においては除電直流電流を低く抑えることによって、記録材Ｐの分離と転写ローラ３０のクリーニングとが両立し、それぞれが十分に行われる。
【００６４】
分離に必要な除電直流電流Ｊ１に対して、像間のクリーニングバイアス中の除電直流電流Ｊ２はＪ１の１５％以下であることが好ましい。
【００６５】
なお、像間の除電直流電流Ｊ２は０であってもよい。
【００６６】
図４によって、転写分離工程を説明する。図４に示される転写バイアス、クリーニングバイアス及び除電電流の制御は、図２における制御手段３５の制御によって行われる。
【００６７】
記録材Ｐは、ｔ１〜ｔ３の期間において、転写領域、即ち、図２におけるニップＮを通過する。
【００６８】
ｔ１は記録材Ｐの先端がニップに達する時点、ｔ２は記録材Ｐの先端がコロナ帯電装置３２の放電針３２Ａの先端とバックアップローラ７４の中心とを結ぶ直線に達する時点である。ｔ２は記録材Ｐがコロナ帯電装置３２により帯電される位置に達する時点である。
【００６９】
ｔ３は記録材Ｐの後端がニップＮを抜ける時点、ｔ５は次の記録材Ｐの先端がニップＮに達する時点である。ｔ３〜ｔ５の期間は中間転写体７０の転写ローラ３０間に記録材Ｐが介在しない像間である。
【００７０】
像間において、画質制御用のパッチ画像やトナー消費用のトナー帯がニップＮを通過する。これらパッチ画像、トナー帯は、転写されることなく、中間転写体７０上に保持された状態でニップＮを通過する。
【００７１】
記録材Ｐの前端がニップＮを通過し、コロナ帯電装置３２による帯電位置に達する時点、即ち、ｔ１〜ｔ２及びｔ５〜ｔ６までは、除電電流の直流成分（以下において除電直流電流と言う）は高い値Ｌ１ａに維持される。
【００７２】
なお、交流成分は図示のように一定した値を取る。
【００７３】
期間ｔ１〜ｔ２及び期間ｔ５〜ｔ６における除電直流電流の値Ｌ１ａは、静電的に中間転写体７０に吸着している記録材Ｐを除電し、分離するのに最適の条件として設定されている。
【００７４】
記録材Ｐの先端は、ニップＮを通過するときに、値Ｌ１ａの除電直流電流を含む除電電流により除電されて確実に中間転写体から分離される。
【００７５】
記録材Ｐの先端がコロナ帯電装置３２による帯電位置を通過する時点ｔ２において、除電直流電流は０に近い低い値Ｌ１ｂに切換設定される。
【００７６】
除電直流電流の値Ｌ１ｂは次の記録材Ｐの前端がニップＮに達する直前の時点ｔ５ａまで維持される。
【００７７】
時点ｔ５ａは、後行の記録材Ｐの先端がニップＮを達する直前の時点である。
【００７８】
時点ｔ５ａにおいて、除電直流電流は、最大値Ｌ１ｃに上昇する。
【００７９】
除電直流電流は、最大値Ｌ１ｃに上昇した後に時点ｔ５ｂにおいてＬ１ａまで低下する。
【００８０】
除電直流電流はＬ１ａから、時点ｔ６において、Ｌ１ｂに低下する。
【００８１】
最大値Ｌ１ｃを有するパルスを値Ｌ１ａのパルスの先頭に形成することによって、短時間内に除電直流電流をＬ１ａまで到達させることが可能となる。
【００８２】
記録材ＰがニップＮを通過する期間ｔ１〜ｔ３、ｔ５〜ｔ７においては、トナー像を中間転写体７０から記録材Ｐに移動させる転写電流Ｌ２が設定される。
【００８３】
また、像間ｔ３〜ｔ５においては、画質制御用のパッチ画像やトナー消費のためのトナー帯が形成されるが、像間ｔ３〜ｔ５においては、トナーを中間転写体７０に保持させ、転写ローラ３０に移動させないための像間電流Ｌ３が設定される。
【００８４】
像間電流Ｌ３によって、中間転写体７０と転写ローラ３０間には、クリーニングバイアスが印加され、トナーは中間転写体７０に引きつけられ、転写ローラ３０がクリーニングされる。図示のように、像間電流Ｌ３が供給されている期間では、除電直流電流は０に近い値Ｌ１ｂに設定されているので、所定のクリーニングバイアスが印加されて良好な転写ローラ３０のクリーニングが行われる。
【００８５】
図示のように、像間ｔ３〜ｔ５においては、除電直流電流が低い値Ｌ１ｂに設定されている。したがって、像間における中間転写体７０と転写ローラ３０間のクリーニングバイアスが、除電電流により影響されることがなく、最適の値で設定される。
【００８６】
これによって、像間における転写ローラ３０のトナー付着が防止され、裏面汚れが十分に防止される。
【実施例】
【００８７】
（１）画像形成装置の構成
中間転写体の線速度：３２０／ｓ
現像：負帯電トナーを用いた２成分反転現像
感光体：φ６０ｍｍのドラム状ＯＰＣ感光体
（フタロシアニン顔料をポリガーボネイトに分散させた膜圧２５μｍの感光層）
一次転写ローラ：φ２２ｍｍ、抵抗１０６Ω
材料：発泡ローラ
一次転写電流として、温度と画像形成枚数とを変数として作成したマトリクスにしたがった転写電流を用いた。
中間転写体：表面抵抗１９１１Ω／□、体積抵抗１０８Ω・ｃｍ
シームレズ樹脂ベルト
テンション６ｋｇｆ
二次転写ローラ：φ２４ｍｍ、抵抗１０７Ω
バックアップローラ：φ２４ｍｍ、抵抗１０７Ω
二次転写電流として、温度と画像形成枚数とを変数として作成したマトリクスを組んだテーブルから転写電流を設定した。
分離手段：４ｍｍピッチで配列された放電針を備えたコロナ帯電装置
（２）実施例
除電電流：分離時の除電直流電流Ｌａ１：４０μＡ
除電直流電流の最大値Ｌｃ１：６０μＡ
像間における除電直流電流Ｌｂ１：５μＡ
クリーニングバイアス（電圧）：除電電流を前記のとおり設定した結果、クリーニングバイアスは０．８ｋＶであった（図３の直線ＳＬ参照）
画像形成においては、像間にパッチ画像を形成して画質制御を行ったが、裏面汚れ発生がなかった。
・比較例１
画像領域及び像間を通して、４０μＡの除電直流電流を含む除電電流をコロナ帯電装置に供給して画像を形成した。
【００８８】
その結果、クリーニングバイアスが−０．７ｋＶとなって、パッチ画像形成時に多量の負帯電トナーが転写ローラに付着し、裏面汚れが発生した。
【図面の簡単な説明】
【００８９】
【図１】本発明の実施の形態に係るカラー画像形成装置の全体構成を示す図である。
【図２】転写分離部の模式図である。
【図３】除電電流とクリーニングバイアスとの関係を示すグラフである。
【図４】転写分離工程のタイミングチャートである。
【符号の説明】
【００９０】
３０  転写ローラ
３１、３３  電源
３２  コロナ帯電装置
３５  制御手段
７０  中間転写体
７４  バックアップローラ
【図１】
2010134019.tif 000003
【図２】
2010134019.tif 000004
【図３】
2010134019.tif 000005
【図４】
2010134019.tif 000006